(57)【要約】【課題】  小型化を図ることが可能なＬＥＤ照明装置を提供すること。【解決手段】  ＬＥＤチップ２２を具備するＬＥＤ発光部２と、ＬＥＤ発光部２を支持するケース１と、ＬＥＤ発光部２への電源供給を行う電源部３と、を備えるＬＥＤ照明装置Ａ１であって、ケース１は、ＬＥＤ発光部２の主出射方向とは反対側に開口する開口領域１０を有しており、外部から受電するための受電ケーブル８１が取り付けられる受電ケーブル孔４１を有し且つ電源部に接続される接続部４を備えており、受電ケーブル孔４１に取り付けられた受電ケーブル８１が延びる方向である電源ケーブル延出方向Ｃが、開口領域１０と交差する。【選択図】  図７
2017027665.tif 000002
【特許請求の範囲】
【請求項１】
ＬＥＤチップを具備するＬＥＤ発光部と、
前記ＬＥＤ発光部を支持するケースと、
ＬＥＤ発光部への電源供給を行う電源部と、を備えるＬＥＤ照明装置Ａであって、
前記ケースは、ＬＥＤ発光部の主出射方向とは反対側に開口する開口領域を有しており、
外部から受電するための受電ケーブルが取り付けられる受電ケーブル孔を有し且つ前記電源部に接続される接続部を備えており、
前記受電ケーブル孔に取り付けられた前記受電ケーブルが延びる方向である電源ケーブル延出方向Ｃが、前記開口領域と交差することを特徴とする、ＬＥＤ照明装置。
【請求項２】
前記接続部が取り付けられ、且つ前記ケースに固定された電源支持部材を更に備える、請求項１に記載のＬＥＤ照明装置。
【請求項３】
前記電源支持部材は、前記接続部が設置された設置板部を有する、請求項２に記載のＬＥＤ照明装置。
【請求項４】
前記設置板部は、前記接続部のうち前記設置板部とは設置板部の厚さ方向に対して反対側に位置する主面が、前記開口領域側に臨むように、前記主出射方向に対して傾いている、請求項３に記載のＬＥＤ照明装置。
【請求項５】
前記設置板部の前記接続部が取り付けられた面とは反対側の面には、前記電源部が設置されている、請求項４に記載のＬＥＤ照明装置。
【請求項６】
前記接続部と前記電源部とは、中継ケーブルを経由して接続されており、
前記接続部は、前記中継ケーブルが取り付けられる中継ケーブル孔を有する、請求項３ないし５のいずれかに記載のＬＥＤ照明装置。
【請求項７】
前記中継ケーブル孔は、前記受電ケーブル孔とは反対側の面に配置されている、請求項６に記載のＬＥＤ照明装置。
【請求項８】
前記電源部は、電源基板、前記電源基板に搭載された複数の電子部品を有している、請求項６または７に記載のＬＥＤ照明装置。
【請求項９】
前記電源基板は、前記設置板部の表面方向に対して平行である、請求項８に記載のＬＥＤ照明装置。
【請求項１０】
前記電源部に接続された電源ケーブルを備える、請求項８または９に記載のＬＥＤ照明装置。
【請求項１１】
前記電源ケーブルは、前記中継ケーブルに接続されている、請求項１０に記載のＬＥＤ照明装置。
【請求項１２】
前記電源部と前記ＬＥＤ発光部とを接続するＬＥＤケーブルを備える、請求項１０または１１に記載のＬＥＤ照明装置。
【請求項１３】
前記ＬＥＤケーブルは、前記電源ケーブルに対して前記ＬＥＤ発光部に近い位置において前記電源部に接続されている、請求項１２に記載のＬＥＤ照明装置。
【請求項１４】
前記ＬＥＤケーブルと前記電源ケーブルとは、前記複数の電子部品を挟んで前記電源基板に接続されている、請求項１３に記載のＬＥＤ照明装置。
【請求項１５】
前記ケースは、前記ＬＥＤ発光部を支持する前記ＬＥＤ支持部材が固定された底板部を有する、請求項１ないし１４のいずれかに記載のＬＥＤ照明装置。
【請求項１６】
前記接続部の前記主出射方向とは反対側の端部は、前記底板部の前記主出射方向とは反対側の面よりも前記出射方向側に位置している、請求項１５に記載のＬＥＤ照明装置。
【請求項１７】
前記ＬＥＤ発光部は、前記電源部よりも前記主出射方向側に位置している、請求項１ないし１６に記載のＬＥＤ照明装置。
【請求項１８】
前記接続部は、端子台によって構成されている、請求項１７に記載のＬＥＤ照明装置。
【発明の詳細な説明】
【技術分野】
【０００１】
本発明は、ＬＥＤ照明装置に関する。
【背景技術】
【０００２】
光源としてＬＥＤチップを有するＬＥＤ照明装置は、省電力、長寿命な照明装置として普及している。特許文献１には、従来のＬＥＤ照明装置の一例が開示されている。このＬＥＤ照明装置、光源としてＬＥＤチップを備えており、ＬＥＤチップに電源供給するための電源部、ＬＥＤチップからの光を透過させる外部カバー、ＬＥＤチップ、電源部および外部カバーを支持するケースを備える。
【０００３】
ＬＥＤ照明装置は、小型化の要請がますます高まっている。
【先行技術文献】
【特許文献】
【０００４】
【特許文献１】特開２００７−２００３０２号公報
【発明の概要】
【発明が解決しようとする課題】
【０００５】
本発明は、上記した事情のもとで考え出されたものであって、小型化を図ることが可能なＬＥＤ照明装置を提供することをその課題とする。
【課題を解決するための手段】
【０００６】
本発明によって提供されるＬＥＤ照明装置は、ＬＥＤチップを具備するＬＥＤ発光部と、前記ＬＥＤ発光部を支持するケースと、ＬＥＤ発光部への電源供給を行う電源部と、を備えるＬＥＤ照明装置であって、前記ケースは、ＬＥＤ発光部の主出射方向とは反対側に開口する開口領域を有しており、外部から受電するための受電ケーブルが取り付けられる受電ケーブル孔を有し且つ前記電源部に接続される接続部を備えており、前記受電ケーブル孔に取り付けられた前記受電ケーブルが延びる方向である電源ケーブル延出方向Ｃが、前記開口領域と交差することを特徴とする。
【０００７】
本発明の好ましい実施の形態においては、前記接続部が取り付けられ、且つ前記ケースに固定された電源支持部材を更に備える。
【０００８】
本発明の好ましい実施の形態においては、前記電源支持部材は、前記接続部が設置された設置板部を有する。
【０００９】
本発明の好ましい実施の形態においては、前記設置板部は、前記接続部のうち前記設置板部とは設置板部の厚さ方向に対して反対側に位置する主面が、前記開口領域側に臨むように、前記主出射方向に対して傾いている。
【００１０】
本発明の好ましい実施の形態においては、前記設置板部の前記接続部が取り付けられた面とは反対側の面には、前記電源部が設置されている。
【００１１】
本発明の好ましい実施の形態においては、前記接続部と前記電源部とは、中継ケーブルを経由して接続されており、前記接続部は、前記中継ケーブルが取り付けられる中継ケーブル孔を有する。
【００１２】
本発明の好ましい実施の形態においては、前記中継ケーブル孔は、前記受電ケーブル孔とは反対側の面に配置されている。
【００１３】
本発明の好ましい実施の形態においては、前記電源部は、電源基板、前記電源基板に搭載された複数の電子部品を有している。
【００１４】
本発明の好ましい実施の形態においては、前記電源基板は、前記設置板部の表面方向に対して平行である。
【００１５】
本発明の好ましい実施の形態においては、前記電源部に接続された電源ケーブルを備える。
【００１６】
本発明の好ましい実施の形態においては、前記電源ケーブルは、前記中継ケーブルに接続されている。
【００１７】
本発明の好ましい実施の形態においては、前記電源部と前記ＬＥＤ発光部とを接続するＬＥＤケーブルを備える。
【００１８】
本発明の好ましい実施の形態においては、前記ＬＥＤケーブルは、前記電源ケーブルに対して前記ＬＥＤ発光部に近い位置において前記電源部に接続されている。
【００１９】
本発明の好ましい実施の形態においては、前記ＬＥＤケーブルと前記電源ケーブルとは、前記複数の電子部品を挟んで前記電源基板に接続されている。
【００２０】
本発明の好ましい実施の形態においては、前記ケースは、前記ＬＥＤ発光部を支持する前記ＬＥＤ支持部材が固定された底板部を有する。
【００２１】
本発明の好ましい実施の形態においては、前記接続部の前記主出射方向とは反対側の端部は、前記底板部の前記主出射方向とは反対側の面よりも前記出射方向側に位置している。
【００２２】
本発明の好ましい実施の形態においては、前記ＬＥＤ発光部は、前記電源部よりも前記主出射方向側に位置している。
【００２３】
本発明の好ましい実施の形態においては、前記接続部は、端子台によって構成されている。
【発明の効果】
【００２４】
本発明によれば、前記ＬＥＤ照明装置の小型化を図ることができる。
【００２５】
本発明のその他の特徴および利点は、添付図面を参照して以下に行う詳細な説明によって、より明らかとなろう。
【図面の簡単な説明】
【００２６】
【図１】本発明の第１実施形態に基づくＬＥＤ照明装置を示す全体斜視図である。
【図２】図１のＬＥＤ照明装置を示す正面図である。
【図３】図１のＬＥＤ照明装置を示す側面図である。
【図４】図１のＬＥＤ照明装置を示す平面図である。
【図５】図１のＬＥＤ照明装置を示す要部平面図である。
【図６】図１のＬＥＤ照明装置を示す底面図である。
【図７】図５のＶＩＩ−ＶＩＩ線に沿う断面図である。
【図８】図５のＶＩＩＩ−ＶＩＩＩ線に沿う断面図である。
【図９】図１のＬＥＤ照明装置を示す要部斜視図である。
【図１０】図１のＬＥＤ照明装置のＬＥＤ発光部を示す平面図である。
【図１１】図１０のＸＩ−ＸＩ線に沿う要部断面図である。
【図１２】図５のＸＩＩ−ＸＩＩ線に沿う要部断面図である。
【図１３】図７と同様の断面における要部拡大断面図である。
【図１４】図１のＬＥＤ照明装置の電源部を主に示す平面図である。
【図１５】図１のＬＥＤ照明装置の接続部を示す平面図である。
【発明を実施するための形態】
【００２７】
以下、本発明の好ましい実施の形態につき、図面を参照して具体的に説明する。
【００２８】
図１〜図１５は、本発明に係るＬＥＤ照明装置の一例を示している。本実施形態のＬＥＤ照明装置Ａ１は、ケース１、ＬＥＤ発光部２、電源部３、接続部４、外部カバー５、人感センサ６、ＬＥＤ支持部材７１、電源支持部材７２、センサ支持部材７３およびスペーサ７５を備えている。ＬＥＤ照明装置Ａ１は、たとえば図２において図中下方に壁面が位置する姿勢で住宅などに設置される照明装置である。
【００２９】
図１は、ＬＥＤ照明装置Ａ１を示す全体斜視図である。図２は、図１のＬＥＤ照明装置Ａ１を示す正面図である。図２において、人感センサ６が視認可能である。図３は、図１のＬＥＤ照明装置Ａ１を示す側面図である。図４は、図１のＬＥＤ照明装置Ａ１を示す平面図である。図５は、図１のＬＥＤ照明装置Ａ１を示す要部平面図である。図６は、図１のＬＥＤ照明装置Ａ１を示す底面図である。図７は、図５のＶＩＩ−ＶＩＩ線に沿う断面図である。図８は、図５のＶＩＩＩ−ＶＩＩＩ線に沿う断面図である。図９は、ＬＥＤ照明装置Ａ１を示す要部斜視図である。図１０は、ＬＥＤ照明装置Ａ１のＬＥＤ発光部２を示す平面図である。図１１は、図１０のＸＩ−ＸＩ線に沿う要部断面図である。図１２は、図５のＸＩＩ−ＸＩＩ線に沿う要部断面図である。図１３は、図７と同様の断面における要部拡大断面図であって、電源部３、接続部４、ＬＥＤ支持部材７１および電源支持部材７２を示している。図１４は、ＬＥＤ照明装置Ａ１の電源部３および電源支持部材７２の一部（後述する設置板部７２２）を図１３における図中左上方向から見た平面図である。図１５は、ＬＥＤ照明装置Ａ１の接続部４を図１３における図中右下方向から見た平面図である。以降の説明においては、本発明で言う主出射方向である側を便宜上ｚ方向上側と称し、主出射方向とは反対側に向かう方向をｚ方向下側と称する。ただし、これらの「上」「下」の語は説明の便宜であり、重力方向との関係を特定するものではない。
【００３０】
ＬＥＤ照明装置Ａ１のサイズの一例を挙げると、ｚ方向寸法が１９０ｍｍ程度、ｘ方向寸法が１２９ｍｍ程度、ｙ方向寸法が１２５ｍｍ程度である。
【００３１】
ケース１は、ＬＥＤ発光部２、電源部３、接続部４、外部カバー５、人感センサ６、ＬＥＤ支持部材７１、電源支持部材７２、センサ支持部材７３を支持するものである。なお、本実施形態においては、ＬＥＤ発光部２、電源部３、接続部４および人感センサ６は、ＬＥＤブラケット７１、電源ブラケット７２およびセンサブラケット７３を介して間接的にケース１に支持されている。ケース１の材質は特に限定されないが、本実施形態においては、ケース１は、金属からなる。また、本実施形態においては、ケース１は、金型成形によって形成されている。ケース１のｚ方向寸法は、たとえば６８ｍｍ程度である。
【００３２】
ケース１は、側板部１１、天板部１２、内筒部１３、底板部１４、連結固定部１５および中板部１６を有している。図９は、ケース１をｚ方向下側から見た斜視図である。
【００３３】
側板部１１は、ケース１の外面を構成している。側板部１１は、ｚ方向とは交差する方向を向く面を有する。本実施形態においては、側板部１１は、ｚ方向とは直角である方向（ｘ方向、ｙ方向）を向く面を有する。側板部１１の具体的形状は特に限定されないが、図示された例においては、側板部１１は、角筒形状とされている。側板部１１は、たとえば円筒形状であってもよい。側板部１１は、開口領域１０が形成されている。開口領域１０は、ケース１のｚ方向下方端縁（本実施形態においては、側板部１１のｚ方向下方端縁）が含まれる平面のうち、ケース１（側板部１１）のｚ方向下方端縁内に含まれる領域を指すものと定義する。側板部１１のｚ方向寸法は、たとえば６８ｍｍ程度である。
【００３４】
側板部１１には、センサ用切欠き部１１１が形成されている。センサ用切欠き部１１１は、ｙ方向視において人感センサ６の一部を露出させている。センサ用切欠き部１１１は、挿通部１１２および２つの拡幅部１１３を含む。挿通部１１２は、人感センサ６の少なくとも一部をケース１の外部に露出させる。拡幅部１１３は、挿通部１１２に繋がり且つｚ方向に対して直角である幅寸法（ｘ方向寸法）を拡大させる。挿通部１１２は、半円形状の部分を含む。拡幅部１１３は、矩形状の部分を含む。２つの拡幅部１１３は、挿通部１１２を挟んでｘ方向両側に配置されている。センサ用切欠き部１１１は、開口領域１０に繋がっている。
【００３５】
天板部１２は、内筒部１３と側板部１１とのｚ方向側部分同士を連結する。天板部１２は、開口部１２１を有している。開口部１２１は、内筒部１３との連結部分である。本実施形態においては、開口部１２１は、平面視円形状である。
【００３６】
内筒部１３は、ｚ方向を軸方向とする筒状部分である。本実施形態においては、内筒部１３は、略円柱形状とされている。内筒部１３は、側板部１１によってｘ方向およびｙ方向が囲まれている。内筒部１３は、センサ用切欠き部１３１およびネジ部１３２を有する。
【００３７】
センサ用切欠き部１３１は、内筒部１３と人感センサ６との干渉を回避するために設けられている。本実施形態においては、図１２に示すように、センサ用切欠き部１３１の周方向における一部が切り欠かれた構成となっている。
【００３８】
ネジ部１３２は、外部カバー５と係合することにより、外部カバー５をケース１に対して固定するためのものである。ネジ部１３２は、内筒部１３の内面に設けられている。ネジ部１３２は、内筒部１３の径方向において内方に突出している。本実施形態においては、ネジ部１３２は、内筒部１３の周方向において一部方位に設けられていないが、過半を占める大部分の方位に設けられている。また、ネジ部１３２は、ｚ方向において内筒部１３の中心よりもｚ方向上側に配置されている。
【００３９】
底板部１４は、内筒部１３の径方向内方に位置しており、ｚ方向に略直角の表面を備えたである板状部分である。底板部１４は、内筒部１３のｚ方向下端部分に対して、２つの連結固定部１５によって連結されている。連結固定部１５は、ＬＥＤ照明装置Ａ１を図示しないボルトなどによって壁面等に固定するために用いられる。本実施形態においては、底板部１４は、電源部用切欠き部１４１およびセンサ用切欠き部１４２を有する。
【００４０】
図６に示すように、電源部用切欠き部１４１は、底板部１４が電源部３（および電源支持部材７２）と干渉することを回避するために設けられている。なお、電源支持部材７２の固定部７２１は、意図的に底板部１４に対して固定されているが、電源部用切欠き部１４１は、電源支持部材７２の設置板部７２２や側板部７２４と底板部１４とが観賞することを回避している。本実施形態においては、電源部用切欠き部１４１は、平面視略矩形状である。センサ用切欠き部１４２は、底板部１４が人感センサ６（およびセンサ支持部材７３）と干渉することを回避するために設けられている。
【００４１】
中板部１６は、ｚ方向において天板部１２と開口領域１０との間に位置する。中板部１６は、ｚ方向に対して直角である板状部分である。中板部１６は、ｚ方向において内筒部１３の中央よりもｚ方向上側に位置している。中板部１６には、センサ支持部材７３が固定されている。
【００４２】
ＬＥＤ発光部２は、ＬＥＤ照明装置Ａ１の光源ユニットである。ＬＥＤ発光部２は、ＬＥＤ基板２１、複数のＬＥＤチップ２２、堰部２３、封止樹脂２４およびＬＥＤフレーム２５を有する。図１０は、ＬＥＤ発光部２を示す平面図であり、図１１は、図１０のＸＩ−ＸＩ線に沿う要部断面図である。
【００４３】
ＬＥＤ基板２１は、たとえばセラミックスからなる基板であり、表面に配線パターン（図示略）が適宜形成されている。複数のＬＥＤチップ２２は、ＬＥＤ基板２１に実装されている。本実施形態においては、ＬＥＤチップ２２は、平面視においてマトリクス状に配置されている。ＬＥＤチップ２２は、たとえばＧａＮ系半導体からなり、たとえば青色光を発する。堰部２３は、ＬＥＤ基板２１上に形成されており、平面視において複数のＬＥＤチップ２２を囲んでいる。堰部２３は、たとえば白色のシリコーン樹脂からなる。封止樹脂２４は、堰部２３によって囲まれた領域において、複数のＬＥＤチップ２２を覆っている。封止樹脂２４は、たとえば透明なシリコーン樹脂に蛍光材料が混合された材質からなる。前記蛍光材料は、ＬＥＤチップ２２からの青色光によって励起されることにより、たとえば黄色光を発する。このようなＬＥＤチップ２２と封止樹脂２４との混色効果により、ＬＥＤ発光部２は、白色光を発する。ＬＥＤフレーム２５は、ＬＥＤ基板２１を囲むように保持しており、たとえば白色の樹脂からなる。
【００４４】
ＬＥＤ発光部２は、ＬＥＤ支持部材７１に取り付けられている。また、ＬＥＤ発光部２は、内部カバー２９によって覆われている。内部カバー２９は、たとえば半透明の乳白色樹脂からなる部材である。本実施形態においては、内部カバー２９は、ドーム状とされている。内部カバー２９は、ＬＥＤ支持部材７１に取り付けられている。
【００４５】
ＬＥＤ支持部材７１は、ＬＥＤ発光部２および内部カバー２９を支持するものであり、たとえば板金加工によって形成されている。ＬＥＤ支持部材７１は、２つの固定部７１１、天板部７１２および２つの側板部７１４を有する。２つの固定部７１１は、ケース１の中板部１６に固定された部分である。天板部７１２は、２つの固定部７１１に対してｚ方向上側に位置しており、ｚ方向上側の表面にはＬＥＤ発光部２および内部カバー２９が取り付けられている。天板部７１２には、ＬＥＤケーブル孔７１３が形成されている。ＬＥＤケーブル孔７１３は、電源部３からＬＥＤ発光部２に繋がるＬＥＤケーブル８３を挿通させるためのものである。２つの側板部７１４は、ｚ方向に沿って延びており、２つの固定部７１１と天板部７１２とを繋いでいる。
【００４６】
電源部３は、ＬＥＤ発光部２を発光させるための電力を供給するためのものであり、たとえば商用の１００Ｖ交流電力をＬＥＤ発光部２のＬＥＤチップ２２の発光に適した直流電力に変換する。図１４に示すように、電源部３は、電源基板３１、複数の電子部品３２および電源フレーム３３を有する。
【００４７】
電源基板３１は、たとえばガラスエポキシ樹脂などからなる基材を有する絶縁基板の表面に配線等が形成された基板である。複数の電子部品３２は、電力変換機能を実現する電源回路を構成するものであり、電源基板３１に実装されている。電源フレーム３３は、電源基板３１を囲む樹脂製部品であり、電源部３を電源支持部材７２に取り付けるために用いられる。図７および図１３に示すように、本実施形態においては、電源部３の電源基板３１は、ｚ方向に対して傾斜している。なお、電源基板３１は、ＬＥＤ支持部材７１の天板部７１２、側板部７１４やケース１の天板部１２および開口領域１０との関係においても傾斜している。また、電源部３は、ＬＥＤ支持部材７１の天板部７１２および２つの側板部７１４によっても覆われている。
【００４８】
電源基板３１には、ＬＥＤケーブル８３および電源ケーブル８５が接続されている。Ｌ電源ケーブル８５は、電源基板３１に接続箇所８５１において接続されている。ＬＥＤケーブル８３は、ＬＥＤ発光部２からＬＥＤ支持部材７１のＬＥＤケーブル孔７１３を通過して電源部３の電源基板３１に到達している。電源ケーブル８５は、接続子８９によって中継ケーブル８２やセンサケーブル８４に接続されている。本実施形態においては、ＬＥＤケーブル８３は、電源ケーブル８５に対してｚ方向上側において電源基板３１に接続箇所８３１において接続されている。また、図１４に示すように、ＬＥＤケーブル８３と電源ケーブル８５とは、複数の電子部品３２を挟んで配置された接続箇所８３１と接続箇所８５１とにおいて電源基板３１に接続されている。
【００４９】
接続部４は、外部から受電するための受電ケーブル８１と中継ケーブル８２とを接続するものであり、電源支持部材７２にたとえばボルトによって取り付けられている。接続部４の具体的構成は限定されず、本実施形態においては、端子台によって構成されている。これ以外に、接続部４は、たとえばコネクタによって構成されていてもよい。
【００５０】
図１５に示すように、接続部４は、主面４０、受電ケーブル孔４１および中継ケーブル孔４２を有する。主面４０は、電源支持部材７２に取り付けられた面とは反対側の面であり、たとえば受電ケーブル８１を受電ケーブル孔４１に脱着する際の作業がなされる面である。受電ケーブル孔４１は、受電ケーブル８１が接続される孔である。図７および図１３に示すように、接続部４の受電ケーブル孔４１に接続された受電ケーブル８１は、接続部４の主面４０の面方向と平行な電源ケーブル延出方向Ｃに沿って延出する。電源ケーブル延出方向Ｃは、ケース１の開口領域１０と交差する方向となっている。また、本実施形態においては、電源ケーブル延出方向Ｃは、ｚ方向に対して傾斜している。なお、電源ケーブル延出方向Ｃは、ＬＥＤ支持部材７１の天板部７１２、側板部７１４やケース１の天板部１２および開口領域１０との関係においても傾斜している。また、電源部３は、ＬＥＤ支持部材７１の天板部７１２および２つの側板部７１４によっても覆われている。この傾斜により、接続部４の主面４０は、開口領域１０側に臨んでいる。
【００５１】
電源支持部材７２は、電源部３および接続部４を支持するものであり、本実施形態においては、板金加工によって形成されている。電源支持部材７２は、固定部７２１、設置板部７２２および２つの側板部７２４を有する。
【００５２】
固定部７２１は、ケース１の中板部１６のｚ方向下面に取り付けられている。設置板部７２２は、固定部７２１に繋がっており、ｚ方向に対して傾いている。固定部７２１と設置板部７２２とは、一つの板状部材が曲げられて形成されている。設置板部７２２の一方の面には電源部３が設置されており、ｚ方向下側の他方の面には接続部４が設置されている。また、本実施形態においては、電源部３の電源基板３１と設置板部７２２との間に、これらに密着するようにシリコーン樹脂３９が設けられている。設置板部７２２がｚ方向に対して傾いていることにより、電源部３および接続部４は、同じ角度でｚ方向に対して傾斜している。なお、図１３に示すように、傾斜した設置板部７２２が延びる方向をｓ方向と定義する。ｓ方向はｘ、ｙ、及びｚ方向の各々と角度をなす方向である。図１４および図１５においては、図中上下方向がｓ方向に一致している。図８に示すように、設置板部７２２には、ケーブル孔７２３が形成されている。ケーブル孔７２３は、中継ケーブル８２およびセンサケーブル８４を挿通させるためのものである。本実施形態においては、ケーブル孔７２３は、設置板部７２２のｓ方向中心よりもＬＥＤ発光部２がある側に設けられており、ｙ方向一端寄りに配置されている。２つの側板部７２４は、設置板部７２２のｙ方向両端から起立している。２つの側板部７２４は、電源部３をｙ方向両側から覆っている。
【００５３】
外部カバー５は、ＬＥＤ発光部２からの光を透過させつつ、ＬＥＤ発光部２を覆っており、ケース１に固定されている。外部カバー５は、ＬＥＤ照明装置Ａ１の外観にあらわれており、本実施形態においては、ＬＥＤ発光部２との間に内部カバー２９を収容している。外部カバー５の材質は特に限定されず、本実施形態においては、外部カバー５は、半透明の乳白色のガラスからなる。本実施形態の外部カバー５は、筒部５１、天板部５２および係合部５３を有する。
【００５４】
筒部５１は、ＬＥＤ発光部２をｘ方向およびｙ方向において囲む部分であり、本実施形態においては、角柱形状とされている。筒部５１のｚ方向寸法は、たとえば１２２ｍｍ程度である。天板部５２は、筒部５１のｚ方向上端に繋がっており、筒部５１のｚ方向上側を塞いでいる。天板部５２は、たとえば平面視矩形状である。筒部５１および天板部５２は、ケース１から露出している。係合部５３は、ケース１と係合することにより、外部カバー５をケース１に脱着可能に固定するための部分である。本実施形態においては、係合部５３は、ケース１の内筒部１３の内側に位置しており、ネジ部５３１を有している。ネジ部５３１は、ケース１の内筒部１３のネジ部１３２と螺合する。なお、ケース１と外部カバー５との間には、密閉性を高めるためのパッキンを設けてもよい。
【００５５】
人感センサ６は、人体をはじめとする生体の有無を検出するセンサである。人感センサ６の形式は特に限定されないが、本実施形態においては、人感センサ６は、赤外線を利用した焦電式赤外線センサである。人感センサ６からの検出信号に応じて、電源部３からの電源供給状態が適宜制御される。
【００５６】
人感センサ６は、センサ本体６１、レンズ６２、２つのスイッチ６３およびケーブル保持部６４を有する。
【００５７】
センサ本体６１は、人感センサ６のセンサ素子や電源部および部等（いずれも図示略）が内蔵された部分である。本実施形態においては、センサ本体６１は、直方体形状である。レンズ６２は、検出媒体である赤外線を、前記センサ素子に集光するためのものである。２つのスイッチ６３は、人感センサ６の検出開始および停止や、検出継続時間などを設定する操作を行うためのものである。センサ本体６１は、レンズ６２よりもｙ方向奥方に位置している。
【００５８】
２つのスイッチ６３は、センサ本体６１に設けられている。図２に示すように、本実施形態においては、２つのスイッチ６３は、レンズ６２を挟んでｘ方向両側に配置されている。２つのスイッチ６３は、レンズ６２の中心よりもｚ方向下側に位置している。
【００５９】
レンズ６２は、少なくともその一部が、ケース１の側板部１１のセンサ用切欠き部１１１の挿通部１１２から、ｙ方向外方に露出している。また、２つの拡幅部１１３のｙ方向奥方に、２つのスイッチ６３が各別に位置している。２つのスイッチ６３は、側板部１１よりもｙ方向奥方に位置している。挿通部１１２は、レンズ６２の湾曲した外形に沿って側板部１１を開口している。拡幅部１１３は、湾曲した挿通部１１２と接続され、且つ側壁部１１に対する挿通部１１２の開口の軌道とは異なる軌道により側壁部１１を開口させている。人感センサ６のレンズ６２と各スイッチ６３は、ｙ方向視において側壁部１１が存在せず視認可能である。センサ用切欠き部１１１は、レンズ６２に合わせて形どった開口である挿通部１１２によって、できる限り人感センサ６をケース１内に収容して外部からの可視領域を低減しつつも人感センサ６の外部監視機能を有効としつつ、さらにスイッチ６３に合わせて形どった開口である拡幅部１１３によって、使用者のスイッチ６３へのアクセスを良好にできる構成となっている。
【００６０】
ケーブル保持部６４は、センサ本体６１に対してレンズ６２とはｙ方向反対側に設けられている。ケーブル保持部６４は、センサケーブル８４を支持するためのものである。
【００６１】
ケーブル保持部６４は、センサ支持部材７３に固定されている。センサ支持部材７３は、固定部７３１および起立部７３２を有しており、たとえば板金加工によって形成されている。図１２に示すように、固定部７３１は、ケース１の中板部１６のｚ方向下面に取り付けられている。起立部７３２は、固定部７３１に繋がっており、固定部７３１からｚ方向下側に延びている。起立部７３２には、ケーブル孔７３３が形成されている。ケーブル孔７３３は、人感センサ６のケーブル保持部６４が挿通される部位である。人感センサ６のケーブル保持部６４は、ケーブル孔７３３に挿通された状態でケーブル孔７３３に対して固定されている。これにより、人感センサ６はセンサ支持部材７３を介してケース１に固定されている。
【００６２】
図６に示すように、本実施形態においては、開口領域１０からネジ部１３２を見た場合に、ネジ部１３２の少なくとも一部がセンサ支持部材７３によって隠されている。すなわち、内筒部１３の内面の周方向における大部分の方位に設けられたネジ部１３２の一部が、ｚ方向下側から開口領域１０を通して見た場合に、センサ支持部材７３によって隠れた格好となっている。ただし、センサ支持部材７３をケース１の中板部１６から取り外すと、開口領域１０からネジ部１３２の全体を見ることができる。中板部１６は、開口領域１０から見た場合にネジ部１３２を避けた領域に設けられている。また、底板部１４は、開口領域１０から見た場合にネジ部１３２を避けた領域に設けられている。
【００６３】
スペーサ７５は、ケース１の開口領域１０を塞ぐ部材であり、ケース１と壁面等との隙間を埋めるためのものである。スペーサ７５は、たとえば硬質スポンジ等からなる板状部材である。
【００６４】
次に、ＬＥＤ照明装置Ａ１の作用について説明する。
【００６５】
本実施形態によれば、受電ケーブル孔４１に取り付けられた受電ケーブル８１が延びる方向である電源ケーブル延出方向Ｃが、開口領域１０と交差する。このため、接続部４から延びる受電ケーブル８１は、開口領域１０を通過してケース１の外部へと向かう姿勢を取りやすい。これにより、ケース１の開口領域１０よりも内部の空間において、受電ケーブル８１が渦状に存在してしまうことを防止することができる。そして、従来であれば受電ケーブル８１のうちケース１内において過剰に存在していた部分の収納を、設置側である壁面内の空間に委ねることが可能である。したがって、ＬＥＤ照明装置Ａ１の小型化を図ることができる。
【００６６】
また、接続部４は、主面４０が、開口領域１０側に臨むように、ｚ方向に対して傾斜している。これにより、受電ケーブル８１を開口領域１０から外部へと導くとともに、主面４０において受電ケーブル８１を脱着するための作業をより容易に行うことができる。たとえば、電源ケーブル延出方向Ｃがｚ方向に沿っている構成の場合、主面４０にたとえばドライバー等の工具を当接させようとすると、この工具や工具を持つ手がケース１などに干渉しまい、上述した作業が困難となってしまう。電源ケーブル延出方向Ｃを本実施形態のように傾けることにより、工具を用いた作業をスムーズに行うことができる。
【００６７】
接続部４と電源部３とは、設置板部７２２の両面に別れて設置されている。設置板部７２２をｚ方向に対して傾斜させることにより、接続部４とともに電源部３をｚ方向に対して傾斜させることができる。電源部３が傾斜していると、たとえば電源基板３１のｓ方向寸法が大きい場合であっても、電源部３のｚ方向寸法を縮小することができる。これは、ＬＥＤ照明装置Ａ１の小型化に好ましい。
【００６８】
接続部４の受電ケーブル孔４１がｚ方向下側に設けられており、中継ケーブル孔４２がｚ方向上側に設けられている。これにより、受電ケーブル８１と中継ケーブル８２とが干渉することを回避することができる。電源部３においては、複数の電子部品３２を挟んで、ＬＥＤケーブル８３と電源ケーブル８５とがｚ方向（ｚ方向）において分かれて配置されている。ＬＥＤケーブル８３をｚ方向上側に配置することにより、電源部３からＬＥＤ発光部２へと至るＬＥＤケーブル８３の経路が不当に長くなることを回避することができる。
【００６９】
電源部３のｚ方向下端は、底板部１４のｚ方向下面よりもｚ方向上側に位置している。これにより、ＬＥＤ照明装置Ａ１を設置する際などに電源部３が誤って壁面に接触することを防止することができる。
【００７０】
また、本実施形態によれば、開口領域１０からネジ部１３２を見た場合に、ネジ部１３２の少なくとも一部がセンサ支持部材７３によって隠されている。このセンサ支持部材７３は、ケース１とは別部材とされており、使用者の任意によってケース１から取り外すことが可能である。これにより、ケース１を金型成形する際には、いまだセンサ支持部材７３は存在しておらず、金型のうちネジ部１３２のｚ方向下側部分を形成する部位をケース１の開口領域１０から出し入れすることができる。このため、ネジ部１３２よりもｚ方向下側に人感センサ６を配置しつつ、金型の構成が複雑となることを阻止することができる。したがって、ＬＥＤ照明装置Ａ１を構成するケース１の製造が困難となることを回避することができる。
【００７１】
ネジ部１３２が、内筒部１３の内面から径方向内方に突出する構成であるため、外部カバー５のネジ部５３１をネジ部１３２に螺合させることにより、外部カバー５をケース１に対して確実に固定することができる。特に、外部カバー５がｚ方向においてぐらつくこと等を防止することができる。また、ネジ部１３２が、内筒部１３の内面の周方向における大部分の方位に設けられていることにより、外部カバー５をより確実にケース１に対して固定することができる。
【００７２】
ネジ部１３２が、内筒部１３のｚ方向中央よりもｚ方向上側に配置されている。これにより、ネジ部１３２と係合する外部カバー５の係合部５３を、内筒部１３のｚ方向下側に過大に進入させる必要がない。
【００７３】
また、本実施形態によれば、側板部１１には、人感センサ６の少なくとも一部をケース１の外部に露出させる挿通部１１２および挿通部１１２に繋がり且つｙ方向寸法である幅寸法を拡大させる拡幅部１１３を含むセンサ用切欠き部１１１が形成されている。これにより、人感センサ６のレンズ６２等をケース１の外部に露出させ、検出感度を高めることができる。一方、レンズ６２に対してセンサ本体６１をケース１の内方に位置させても、センサ用切欠き部１１１の拡幅部１１３を通じて、センサ本体６１に手や工具などを到達させることができる。これにより、人感センサ６を適切に機能させつつ、ＬＥＤ照明装置Ａ１の小型化を図ることができる。
【００７４】
スイッチ６３は、レンズ６２のｚ方向中心よりもｚ方向下側に位置している。このため、センサ用切欠き部１１１において、拡幅部１１３を挿通部１１２に対して相対的にｚ方向下側に配置することができる。したがって、レンズ６２に近接するように挿通部１１２の端縁を配置させ、誤作動や異物の混入を抑制することができる。
【００７５】
センサ用切欠き部１１１は、開口領域１０に繋がっている。このため、センサ用切欠き部１１１の挿通部１１２から露出するレンズ６２が存在するにもかかわらず、人感センサ６を取り外す際には、人感センサ６をｚ方向下側へとスムーズに移動させることができる。
【００７６】
本発明に係るＬＥＤ照明装置は、上述した実施形態に限定されるものではない。本発明に係るＬＥＤ照明装置の各部の具体的な構成は、種々に設計変更自在である。
【符号の説明】
【００７７】
Ａ１      ＬＥＤ照明装置
１      ケース
１０      開口領域
１１      側板部
１１１      センサ用切欠き部
１１２      挿通部
１１３      拡幅部
１２      天板部
１２１      開口部
１３      内筒部
１３１      センサ用切欠き部
１３２      ネジ部
１４      底板部
１４１      電源部用切欠き部
１４２      センサ用切欠き部
１５      連結固定部
１６      中板部
２      ＬＥＤ発光部
２１      ＬＥＤ基板
２２      ＬＥＤチップ
２３      堰部
２４      封止樹脂
２５      ＬＥＤフレーム
２９      内部カバー
３      電源部
３１      電源基板
３２      電子部品
３３      電源フレーム
３９      シリコーン樹脂
４      接続部
４０      主面
４１      受電ケーブル孔
４２      中継ケーブル孔
７１      ＬＥＤ支持部材
７１１      固定部
７１２      天板部
７１３      ＬＥＤケーブル孔
７１４      側板部
７２      電源支持部材
７２１      固定部
７２２      設置板部
７２３      ケーブル孔
７２４      側板部
７３      センサ支持部材
７３１      固定部
７３２      起立部
７３３      ケーブル孔
５      外部カバー
５１      筒部
５２      天板部
５３      係合部
５３１      ネジ部
６      人感センサ
６１      センサ本体
６２      レンズ
６３      スイッチ
６４      ケーブル保持部
７５      スペーサ
８１      受電ケーブル
８２      中継ケーブル
８３      ＬＥＤケーブル
８３１      接続箇所
８４      センサケーブル
８５      電源ケーブル
８５１      接続箇所
８９      接続子
Ｃ      電源ケーブル延出方向
【図１】
2017027665.tif 000003
【図２】
2017027665.tif 000004
【図３】
2017027665.tif 000005
【図４】
2017027665.tif 000006
【図５】
2017027665.tif 000007
【図６】
2017027665.tif 000008
【図７】
2017027665.tif 000009
【図８】
2017027665.tif 000010
【図９】
2017027665.tif 000011
【図１０】
2017027665.tif 000012
【図１１】
2017027665.tif 000013
【図１２】
2017027665.tif 000014
【図１３】
2017027665.tif 000015
【図１４】
2017027665.tif 000016
【図１５】
2017027665.tif 000017